(57)【要約】【課題】ジョブキャンセル機能を備える印刷装置であって、ジョブキャンセル時において、未印刷の給紙済みの用紙を、利便性良く利用することのできる印刷装置、等を提供する。【解決手段】印刷装置が、複数の給紙口から用紙を給紙し、給紙した前記用紙に対して印刷を行う印刷機構と、前記印刷機構を制御する制御部と、を有し、前記制御部は、第１ジョブの印刷中にキャンセル指示を受信した際に、前記第１ジョブに続く第２ジョブにおける前記給紙口の設定に基づいて、前記給紙口から給紙済みで、かつ、未だ印刷が行われていない前記用紙である未印刷給紙に、前記第２ジョブの印刷を行うか否かを判断し、印刷を行うと判断した場合には、前記印刷機構に前記第２ジョブの印刷を前記未印刷給紙に対して行わせる。【選択図】  図１
2019005952.tif 000002
【特許請求の範囲】
【請求項１】
複数の給紙口から用紙を給紙し、給紙した前記用紙に対して印刷を行う印刷機構と、
前記印刷機構を制御する制御部と、を有し、
前記制御部は、第１ジョブの印刷中にキャンセル指示を受信した際に、前記第１ジョブ
に続く第２ジョブにおける前記給紙口の設定に基づいて、前記給紙口から給紙済みで、か
つ、未だ印刷が行われていない前記用紙である未印刷給紙に、前記第２ジョブの印刷を行
うか否かを判断し、印刷を行うと判断した場合には、前記印刷機構に前記第２ジョブの印
刷を前記未印刷給紙に対して行わせる
ことを特徴とする印刷装置。
【請求項２】
請求項１において、
前記制御部は、前記第２ジョブに、前記未印刷給紙が給紙された前記給紙口と同じ前記
給紙口が設定されている場合、前記未印刷給紙に前記第２ジョブの印刷を行うと判断する
ことを特徴とする印刷装置。
【請求項３】
請求項１において、
前記制御部は、前記第２ジョブに設定されている前記用紙の条件に基づいて自動で前記
給紙口を選択させる旨の給紙口自動選択が前記第２ジョブに設定されている場合、前記未
印刷給紙が前記用紙の条件を満たしていれば、前記未印刷給紙に前記第２ジョブの印刷を
行うと判断する
ことを特徴とする印刷装置。
【請求項４】
請求項３において、
前記制御部は、前記未印刷給紙が、用紙サイズと排紙方向の前記用紙の条件を満たして
いれば、前記未印刷給紙に前記第２ジョブの印刷を行うと判断する
ことを特徴とする印刷装置。
【請求項５】
請求項３において、
前記制御部は、前記第２ジョブにおいて用紙サイズの前記用紙の条件が未指定に設定さ
れていれば、前記未印刷給紙が当該用紙の条件を満たすと判断し、前記第２ジョブの印刷
範囲を前記未印刷給紙に対応するように拡大又は縮小する
ことを特徴とする印刷装置。
【請求項６】
請求項５において、
前記制御部は、前記第２ジョブにおいて用紙サイズの前記用紙の条件が指定されており
、前記未印刷給紙が当該用紙の条件を満たしていない場合には、前記印刷機構に前記未印
刷給紙を未印刷のまま排紙させる
ことを特徴とする印刷装置。
【請求項７】
請求項５において、
前記制御部は、前記第２ジョブがファクシミリで受信したデータを印刷するジョブであ
る場合に、前記印刷範囲の拡大又は縮小を行う
ことを特徴とする印刷装置。
【請求項８】
請求項３、５、６、７のいずれか１項において、
前記制御部は、前記第２ジョブにおいて排紙方向の前記用紙の条件が未指定に設定され
ていれば、前記未印刷給紙が当該用紙の条件を満たすと判断し、前記第２ジョブの印刷方
向を前記未印刷給紙に対応するように回転する
ことを特徴とする印刷装置。
【請求項９】
複数の給紙口から用紙を給紙し、給紙した前記用紙に対して印刷を行う印刷機構と、
前記印刷機構を制御する制御部と、を有し、
前記制御部は、第１ジョブの印刷中にキャンセル指示を受信した際に、前記給紙口から
給紙済みで、かつ、未だ印刷が行われていない前記用紙である未印刷給紙の枚数が、前記
第１ジョブに続く第２ジョブにおける印刷枚数以上である場合、前記第２ジョブの印刷設
定を前記未印刷給紙に対応する設定として、前記印刷機構に前記第２ジョブの印刷を前記
未印刷給紙に対して行わせる、未印刷給紙利用印刷を実行する
ことを特徴とする印刷装置。
【請求項１０】
請求項９において、
前記未印刷給紙に対応する設定とする前記印刷設定は、用紙サイズ及び排紙方向の設定
を含む
ことを特徴とする印刷装置。
【請求項１１】
請求項９あるいは１０において、
前記制御部は、前記第２ジョブのジョブ種がステータスシートを印刷するジョブである
場合に、前記未印刷給紙利用印刷を実行する
ことを特徴とする印刷装置。
【請求項１２】
請求項９乃至１１のいずれか１項において、
前記制御部は、前記第２ジョブのジョブ種がファクシミリで受信したデータを印刷する
ジョブであり、ファクシミリの代行出力の機能がオンに設定されている場合に、前記未印
刷給紙利用印刷を実行する
ことを特徴とする印刷装置。
【請求項１３】
複数の給紙口から用紙を給紙し、給紙した前記用紙に対して印刷を行う印刷装置の制御
方法であって、
第１ジョブの印刷中にキャンセル指示を受信した際に、前記第１ジョブに続く第２ジョ
ブにおける前記給紙口の設定に基づいて、前記給紙口から給紙済みで、かつ、未だ印刷が
行われていない前記用紙である未印刷給紙に、前記第２ジョブの印刷を行うか否かを判断
し、印刷を行うと判断した場合には、前記印刷装置に前記第２ジョブの印刷を前記未印刷
給紙に対して行わせる
ことを特徴とする制御方法。
【請求項１４】
複数の給紙口から用紙を給紙し、給紙した前記用紙に対して印刷を行う印刷装置の制御
方法であって、
第１ジョブの印刷中にキャンセル指示を受信した際に、前記給紙口から給紙済みで、か
つ、未だ印刷が行われていない前記用紙である未印刷給紙の枚数が、前記第１ジョブに続
く第２ジョブにおける印刷枚数以上である場合、前記第２ジョブの印刷設定を前記未印刷
給紙に対応する設定として、前記印刷装置に前記第２ジョブの印刷を前記未印刷給紙に対
して行わせる
ことを特徴とする制御方法。
【発明の詳細な説明】
【技術分野】
【０００１】
本発明は、ジョブキャンセル機能を備える印刷装置等に関し、特に、ジョブキャンセル
時において、未印刷の給紙済みの用紙を、利便性良く利用することのできる印刷装置等に
関する。
【背景技術】
【０００２】
従来、高速で印刷を行うプリンターでは、すぐに印刷を実行できるように、用紙を印刷
前に機内へ給紙するように制御がなされている。そのため、印刷中の用紙に続く何枚かの
用紙が給紙口から印刷部までの間に既に存在している状態となる。
【０００３】
したがって、印刷中にジョブキャンセルの指示がなされると、プリンターの機内に未だ
印刷が行われていない白紙の用紙が残る状態となり、これらの用紙が無駄になる虞がある
。
【０００４】
かかる問題に関連して、下記特許文献１には、プリンターの筐体内に残った未印刷の用
紙に、後続のプリントジョブの印刷を行い、無駄紙の排紙を抑制する発明について記載さ
れている。
【先行技術文献】
【特許文献】
【０００５】
【特許文献１】特開２００５−３１９６３８号公報
【発明の概要】
【発明が解決しようとする課題】
【０００６】
上記特許文献１に記載の装置では、未印刷の給紙済みの用紙と、後続のプリントジョブ
の用紙とが、用紙サイズと排紙方向において同一の場合にのみ、未印刷の給紙済みの用紙
に印刷を行う。
【０００７】
しかしながら、このような制御では、印刷要求時に指定されている給紙口や用紙の紙質
などが考慮されておらず、さらにユーザー利便性が高く、用紙をより有効に活用すること
のできる技術が望まれる。
【０００８】
そこで、本発明の目的は、ジョブキャンセル機能を備える印刷装置であって、ジョブキ
ャンセル時において、未印刷の給紙済みの用紙を、利便性良く利用することのできる印刷
装置、等を提供することである。
【課題を解決するための手段】
【０００９】
上記の目的を達成するために、本発明の一つの側面は、印刷装置が、複数の給紙口から
用紙を給紙し、給紙した前記用紙に対して印刷を行う印刷機構と、前記印刷機構を制御す
る制御部と、を有し、前記制御部は、第１ジョブの印刷中にキャンセル指示を受信した際
に、前記第１ジョブに続く第２ジョブにおける前記給紙口の設定に基づいて、前記給紙口
から給紙済みで、かつ、未だ印刷が行われていない前記用紙である未印刷給紙に、前記第
２ジョブの印刷を行うか否かを判断し、印刷を行うと判断した場合には、前記印刷機構に
前記第２ジョブの印刷を前記未印刷給紙に対して行わせる、ことである。
【００１０】
当該側面により、ユーザーニーズを損なうことなく、未印刷給紙を有効活用することが
できる。
【００１１】
更に、上記発明において、その好ましい一つの態様は、前記制御部は、前記第２ジョブ
に、前記未印刷給紙が給紙された前記給紙口と同じ前記給紙口が設定されている場合、前
記未印刷給紙に前記第２ジョブの印刷を行うと判断する、ことを特徴とする。
【００１２】
当該態様により、ユーザーの所望した用紙を用いて、未印刷給紙に印刷を行うことがで
きる。
【００１３】
更に、上記発明において、その好ましい一つの態様は、前記制御部は、前記第２ジョブ
に設定されている前記用紙の条件に基づいて自動で前記給紙口を選択させる旨の給紙口自
動選択が前記第２ジョブに設定されている場合、前記未印刷給紙が前記用紙の条件を満た
していれば、前記未印刷給紙に前記第２ジョブの印刷を行うと判断する、ことを特徴とす
る。
【００１４】
当該態様により、ユーザーニーズを損なうことなく、未印刷給紙の利用度を高めること
ができる。
【００１５】
更に、上記発明において、その好ましい一つの態様は、前記制御部は、前記未印刷給紙
が、用紙サイズと排紙方向の前記用紙の条件を満たしていれば、前記未印刷給紙に前記第
２ジョブの印刷を行うと判断する、ことを特徴とする。
【００１６】
当該態様により、未印刷給紙を有効活用することができる。
【００１７】
更に、上記発明において、その好ましい一つの態様は、前記制御部は、前記第２ジョブ
において用紙サイズの前記用紙の条件が未指定に設定されていれば、前記未印刷給紙が当
該用紙の条件を満たすと判断し、前記第２ジョブの印刷範囲を前記未印刷給紙に対応する
ように拡大又は縮小する、ことを特徴とする。
【００１８】
当該態様により、ユーザーニーズを損なうことなく、未印刷給紙の利用度を高めること
ができる。
【００１９】
更に、上記発明において、その好ましい一つの態様は、前記制御部は、前記第２ジョブ
において用紙サイズの前記用紙の条件が指定されており、前記未印刷給紙が当該用紙の条
件を満たしていない場合には、前記印刷機構に前記未印刷給紙を未印刷のまま排紙させる
、
ことを特徴とする。
【００２０】
当該態様により、ユーザーニーズを損なうことを防止できる。
【００２１】
更に、上記発明において、その好ましい一つの態様は、前記制御部は、前記第２ジョブ
がファクシミリで受信したデータを印刷するジョブである場合に、前記印刷範囲の拡大又
は縮小を行う、ことを特徴とする。
【００２２】
当該態様により、ユーザーニーズを損なうことなく、未印刷給紙の利用度を高めること
ができる。
【００２３】
更に、上記発明において、その好ましい一つの態様は、前記制御部は、前記第２ジョブ
において排紙方向の前記用紙の条件が未指定に設定されていれば、前記未印刷給紙が当該
用紙の条件を満たすと判断し、前記第２ジョブの印刷方向を前記未印刷給紙に対応するよ
うに回転する、ことを特徴とする。
【００２４】
当該態様により、ユーザーニーズを損なうことなく、未印刷給紙の利用度を高めること
ができる。
【００２５】
上記の目的を達成するために、本発明の別の側面は、印刷装置が、複数の給紙口から用
紙を給紙し、給紙した前記用紙に対して印刷を行う印刷機構と、前記印刷機構を制御する
制御部と、を有し、前記制御部は、第１ジョブの印刷中にキャンセル指示を受信した際に
、前記給紙口から給紙済みで、かつ、未だ印刷が行われていない前記用紙である未印刷給
紙の枚数が、前記第１ジョブに続く第２ジョブにおける印刷枚数以上である場合、前記第
２ジョブの印刷設定を前記未印刷給紙に対応する設定として、前記印刷機構に前記第２ジ
ョブの印刷を前記未印刷給紙に対して行わせる、未印刷給紙利用印刷を実行する、ことで
ある。
【００２６】
当該側面により、用紙に拘る必要のない印刷ジョブの場合に未印刷給紙を有効活用でき
る。
【００２７】
更に、上記発明において、その好ましい一つの態様は、前記未印刷給紙に対応する設定
とする前記印刷設定は、用紙サイズ及び排紙方向の設定を含む、ことを特徴とする。
【００２８】
更に、上記発明において、その好ましい一つの態様は、前記制御部は、前記第２ジョブ
のジョブ種がステータスシートを印刷するジョブである場合に、前記未印刷給紙利用印刷
を実行する、ことを特徴とする。
【００２９】
当該態様により、ユーザーニーズを損なうことなく、未印刷給紙を有効活用できる。
【００３０】
更に、上記発明において、その好ましい一つの態様は、前記制御部は、前記第２ジョブ
のジョブ種がファクシミリで受信したデータを印刷するジョブであり、ファクシミリの代
行出力の機能がオンに設定されている場合に、前記未印刷給紙利用印刷を実行する、こと
を特徴とする。
【００３１】
当該態様により、ユーザーニーズを損なうことなく、未印刷給紙を有効活用できる。
【００３２】
上記の目的を達成するために、本発明の更に別の側面は、複数の給紙口から用紙を給紙
し、給紙した前記用紙に対して印刷を行う印刷装置の制御方法において、第１ジョブの印
刷中にキャンセル指示を受信した際に、前記第１ジョブに続く第２ジョブにおける前記給
紙口の設定に基づいて、前記給紙口から給紙済みで、かつ、未だ印刷が行われていない前
記用紙である未印刷給紙に、前記第２ジョブの印刷を行うか否かを判断し、印刷を行うと
判断した場合には、前記印刷装置に前記第２ジョブの印刷を前記未印刷給紙に対して行わ
せる、ことである。
【００３３】
上記の目的を達成するために、本発明の更に別の側面は、複数の給紙口から用紙を給紙
し、給紙した前記用紙に対して印刷を行う印刷装置の制御方法において、第１ジョブの印
刷中にキャンセル指示を受信した際に、前記給紙口から給紙済みで、かつ、未だ印刷が行
われていない前記用紙である未印刷給紙の枚数が、前記第１ジョブに続く第２ジョブにお
ける印刷枚数以上である場合、前記第２ジョブの印刷設定を前記未印刷給紙に対応する設
定として、前記印刷装置に前記第２ジョブの印刷を前記未印刷給紙に対して行わせる、こ
とである。
【００３４】
本発明の更なる目的及び、特徴は、以下に説明する発明の実施の形態から明らかになる
。
【図面の簡単な説明】
【００３５】
【図１】本発明を適用した印刷装置の実施の形態例に係る概略構成図である。
【図２】未印刷給紙処理の手順を例示したフローチャートである。
【図３】設定変更処理の手順を例示したフローチャートである。
【発明を実施するための形態】
【００３６】
以下、図面を参照して本発明の実施の形態例を説明する。しかしながら、かかる実施の
形態例が、本発明の技術的範囲を限定するものではない。なお、図において、同一又は類
似のものには同一の参照番号又は参照記号を付して説明する。
【００３７】
図１は、本発明を適用した印刷装置の実施の形態例に係る概略構成図である。図１に示
すプリンター２が本発明を適用した印刷装置であり、本プリンター２は、ジョブキャンセ
ルの指示を受信した際に、すでに給紙口２２１から給紙済みで、かつ、未だ印刷がなされ
ていない用紙（以降、未印刷給紙と称す）がある場合に、後続の印刷ジョブ（以降、後続
ジョブと称す）（第２ジョブ）に設定されている給紙口２２１に基づき、未印刷給紙に後
続ジョブの印刷を行うかを判断する。これにより、ユーザー利便性の高い、未印刷給紙の
有効活用を実現する。
【００３８】
図１に示すように、プリンター２は、ホストコンピューター１などのホスト装置からの
印刷要求、又は、プリンター２に対する操作に従い、用紙に対して印刷を実行する、例え
ば、インクジェットプリンターである。プリンター２は、印刷中の用紙に続く複数枚の用
紙を予め搬送路２２２へ給紙し、高速で印刷する機能を備える。また、図示していないが
、プリンター２は、一体となった、又は、別体のファクシミリ受信装置からデータを受信
してファクシミリの内容を印刷する機能を備える。
【００３９】
ホストコンピューター１は、プリンター２と通信可能に接続され、ユーザー操作等に基
づきプリンター２に対して印刷要求を行う。ホストコンピューター１は、パーソナルコン
ピューターなどで構成され、印刷対象の図形や文字を生成するアプリケーション、プリン
ター２用のプリンタードライバー（共に図示せず）などを備える。
【００４０】
上記印刷要求は、プリンタードライバーによって生成される印刷データをホストコンピ
ューター１からプリンター２へ送信することによってなされる。ここでは、１つの印刷要
求を印刷ジョブと称し、各印刷ジョブに対して各種の印刷条件が設定されている。これら
の設定項目には、使用する用紙に関して、「給紙口」、「用紙サイズ」、「排紙方向」、
及び「紙質」の項目が含まれる。
【００４１】
「給紙口」は、プリンター２が備える複数の給紙口２２１のうちのどの給紙口２２１か
ら給紙するかを指定する項目であり、「用紙サイズ」は、印刷に使用する用紙のサイズ（
Ａ４、Ａ３など）を指定する項目であり、「排紙方向」は、印刷済みの用紙を排紙する際
の用紙の向き（タテ又はヨコ、ここでは、給紙方向と同じ）を指定する項目であり、「紙
質」は、用紙の材質による種別（普通紙、再生紙など）を指定する項目である。
【００４２】
これらの設定項目の内容は、プリンタードライバーが提供するインターフェース画面に
対するユーザー操作等で設定（指定）され、その設定内容は印刷データに含まれる。
【００４３】
なお、「給紙口」については、“給紙口自動”と設定することができ、このように設定
されている場合には、プリンター２側で、他の設定内容に基づいて適切な給紙口２２１を
選択する。また、「用紙サイズ」及び「排紙方向」については、未指定とすることができ
、このように設定されている場合には、プリンター２側で、適宜、適切なものを選択する
。また、「紙質」については、“紙質自動”又は“普通紙系自動”と設定することができ
、このように設定されている場合には、プリンター２側で、適切な紙質を選択する。なお
、普通紙には、色や紙厚により複数の種類があり、それらはそれぞれ１つの「紙質」であ
る。従って、普通紙には複数の紙質があり、それらを総称して“普通紙系”と称する。“
普通紙系自動”と設定されている場合には、プリンター２は、“普通紙系”の中から適切
な紙質を選択する。
【００４４】
以下、普通紙系の用紙の具体例を説明する。
【００４５】
普通系の用紙には、例えば、普通系１、普通系２、レターヘッド、色付き用紙、印刷済
み用紙、厚紙１、厚紙２、厚紙３、厚紙４が含まれる。再生紙を普通紙系の用紙に含めて
も良い。なお、普通系２の厚みは、普通系１の厚みよりも大きい。厚紙１〜４については
、厚紙４、厚紙３、厚紙２、厚紙１の順で用紙の厚みが大きい。なお、ユーザーは普通紙
系に含める用紙をプリンター２に予め設定できる。
【００４６】
プリンター２は、図１に示されるように、制御部２１と印刷機構２２を備える。制御部
２１は、プリンター２の各部を制御するコントローラーであり、ハードウェア構成として
は、ＣＰＵ、ＲＡＭ、ＲＯＭ、ＮＶＲＡＭ、ＡＳＩＣ（Application Specific Integrate
d Circuit）等を備える。
【００４７】
制御部２１は、ホストコンピューター１から印刷データを受信した際など印刷要求を受
けると、印刷機構２２を制御して、その印刷ジョブに設定されている内容に応じた印刷条
件で、印刷対象の画像を用紙に印刷する。使用する用紙に関しては、制御部２１は、上述
した「給紙口」、「用紙サイズ」、「排紙方向」、及び「紙質」の設定内容に基づいて、
適切な給紙口２２１を選択（決定）し、そこから給紙して印刷を行う。
【００４８】
また、上述のように、プリンター２では印刷前に給紙を行うので、印刷ジョブが印刷途
中でキャンセルされると、未印刷給紙がプリンター２の搬送路２２２内（機内、筐体内）
に残ることになるが、制御部２１は、印刷データを受信済みの後続ジョブの設定内容に基
づいて、未印刷給紙に後続ジョブの印刷を行うか否かの判断を行い、その後、当該判断に
基づいて印刷処理又は排紙処理を実行する。なお、これら未印刷給紙に係る処理（以降、
未印刷給紙処理と称す）は、当該処理を指示するプログラム、当該プログラムに従って動
作するＣＰＵ、プログラムを格納するＲＯＭ、ＲＡＭ、ＮＶＲＡＭ等が協働して動作する
ことにより実行される。
【００４９】
印刷機構２２は、制御部２１の指示に従って用紙など（印刷媒体）に印刷を行う。印刷
機構２２は、図１に示されるように、複数の給紙口２２１、搬送路２２２、搬送部２２３
、及び印刷部２２４等を備える。
【００５０】
給紙口２２１は、本実施の形態例では、３つ備えられ（２２１Ａ、２２１Ｂ、２２１Ｃ
）、それぞれに、各種の用紙を収容する用紙カセット３（３Ａ、３Ｂ、３Ｃ）が挿入され
る。印刷時には、いずれかの給紙口２２１から給紙され、給紙された用紙は搬送路２２２
に沿って搬送される。
【００５１】
搬送部２２３は、搬送ローラーと、その駆動源及び伝動装置等を備え、給紙口２２１か
ら給紙された用紙を印刷位置まで搬送し、その後、印刷後の用紙を搬送して排紙する。な
お、未印刷給紙は、給紙口２２１から印刷位置までの搬送路２２２に存在する。
【００５２】
印刷部２２４は、印刷位置に搬送された用紙に対して印刷を実行する。印刷部２２４は
、本実施の形態例では、インクを吐出するノズルを複数備えた印刷ヘッド、印刷ヘッドを
搭載して副走査方向に移動するキャリッジ等を備える。
【００５３】
以上説明したような構成を備える本実施の形態例に係るプリンター２では、印刷要求を
受けると、制御部２１が当該印刷要求に適した給紙口２２１を決定し、そこから給紙して
印刷を実行するが、その印刷中に印刷ジョブがキャンセルされた際の未印刷給紙処理に特
徴があり、以下、その具体的な内容について説明する。
【００５４】
図２は、未印刷給紙処理の手順を例示したフローチャートである。制御部２１は、印刷
中に印刷ジョブのキャンセル（以降、ジョブキャンセルと称す）の指示を受信し、その際
に、後続ジョブの印刷データを受信済みであると、当該未印刷給紙処理を開始する。なお
、ジョブキャンセルは、ホストコンピューター１又はプリンター２の操作部（図示せず）
に対するユーザー操作でなされ、その信号を制御部２１が受信する。
【００５５】
制御部２１は、まず、未印刷給紙が存在するか否かを判断する（図２のステップＳ１）
。制御部２１は、印刷中である印刷ジョブ（以降、現行ジョブと称す）（第１ジョブ）の
処理時に、現行ジョブの何枚目まで用紙を給紙済みで、何枚目の用紙まで印刷済みである
かを把握しているので、その情報に基づいて未印刷給紙が存在するか否かを判断できる。
【００５６】
当該判断の結果、未印刷給紙が存在しなければ（なければ）（図２のステップＳ１のＮ
ｏ）、制御部２１は、当該未印刷給紙処理を終了する。
【００５７】
上記判断の結果、未印刷給紙が存在すれば（あれば）（図２のステップＳ１のＹｅｓ）
、制御部２１は、後続ジョブが所定の印刷ジョブの種類（以下、ジョブ種と称す）である
か否かを判断する（図２のステップＳ２）。ここで、所定のジョブ種とは、用紙の体裁に
関わらず内容を伝えられる印刷が行われればよい印刷ジョブであって、例えば、プリンタ
ー２の状態を示すステータスシート、受信したファクシミリの印刷などである。制御部２
１は、当該判断を後続ジョブのヘッダー情報などから判断する。なお、ユーザーは、用紙
の体裁に関わらず内容を伝えられる印刷が行われればよいと認定したジョブの種類を、所
定の印刷ジョブの種類に予め設定しておくことができる。
【００５８】
当該判断の結果、後続ジョブが所定のジョブ種でない場合には（図２のステップＳ２の
Ｎｏ）、制御部２１は、後続ジョブの「給紙口」についての設定内容に基づいて、後続ジ
ョブを未印刷給紙に印刷するか否かを判断する。
【００５９】
具体的には、制御部２１は、後続ジョブの「給紙口」についての設定が“給紙口自動”
になっているか否かを判断する（図２のステップＳ５）。
【００６０】
その結果、後続ジョブの「給紙口」についての設定が“給紙口自動”になっていない場
合には（図２のステップＳ５のＮｏ）、制御部２１は、後続ジョブに設定されている給紙
口２２１が、未印刷給紙（現行ジョブ）の給紙口２２１と一致するか否かを判断する（図
２のステップＳ６）。
【００６１】
当該判断の結果、後続ジョブの給紙口２２１と未印刷給紙の給紙口２２１が一致すれば
（図２のステップＳ６のＹｅｓ）、制御部２１は、後続ジョブを未印刷給紙に印刷すると
判断し、印刷機構２２に、未印刷給紙に対して後続ジョブの印刷を実行させる（図２のス
テップＳ１８）。具体的には、搬送路２２２の印刷位置の上流側に位置する未印刷給紙を
、搬送部２２３が、順次、印刷位置へ供給し、供給された未印刷給紙に対して、印刷部２
２４が印刷を実行する。
【００６２】
一方、当該判断の結果、後続ジョブの給紙口２２１と未印刷給紙の給紙口２２１が一致
しなければ（図２のステップＳ６のＮｏ）、制御部２１は、後続ジョブを未印刷給紙に印
刷しないと判断し、印刷機構２２に、未印刷給紙を白紙のまま（未印刷のまま）排紙させ
る（図２のステップＳ１９）。具体的には、搬送路２２２に位置する未印刷給紙を、搬送
部２２３が、順次、プリンター２から排紙する。
【００６３】
次に、ステップＳ５に戻って、後続ジョブの「給紙口」についての設定が“給紙口自動
”になっている場合には（図２のステップＳ５のＹｅｓ）、制御部２１は、後続ジョブに
設定されている「給紙口」以外の設定内容、すなわち、「用紙サイズ」、「排紙方向」、
及び「紙質」の設定内容、に基づいて、後続ジョブを未印刷給紙に印刷するか否かを判断
する。
【００６４】
具体的には、後続ジョブの「用紙サイズ」、「排紙方向」、及び「紙質」の設定内容が
、全て、未印刷給紙（現行ジョブ）の内容（用紙サイズ、排紙方向、及び紙質）と一致し
ていれば（図２のステップＳ７のＹｅｓ、Ｓ８のＹｅｓ、Ｓ９のＹｅｓ）、制御部２１は
、後続ジョブを未印刷給紙に印刷すると判断し、印刷機構２２に、未印刷給紙に対して後
続ジョブの印刷を実行させる（図２のステップＳ１８）。
【００６５】
また、「用紙サイズ」、「排紙方向」、及び「紙質」の各設定内容が、未印刷給紙（現
行ジョブ）の内容と一致しない場合にも、設定内容が“未指定”である場合、自由度のあ
る選択が可能である内容である場合には、制御部２１は、後続ジョブを編集して、後続ジ
ョブを未印刷給紙に印刷すると判断し、印刷機構２２に、未印刷給紙に対して後続ジョブ
の印刷を実行させる（図２のステップＳ１８）。
【００６６】
具体的には、後続ジョブの「用紙サイズ」が未印刷給紙（現行ジョブ）の内容と一致し
ていない場合には（図２のステップＳ７のＮｏ）、制御部２１は、後続ジョブの「用紙サ
イズ」についての設定内容が“未指定”であるか否かを判断する（図２のステップＳ１０
）。設定内容が“未指定”である場合には（図２のステップＳ１０のＹｅｓ）、制御部２
１は、未印刷給紙のサイズに合うように、後続ジョブに対して拡縮処理を実行する（図２
のステップＳ１１）。拡縮処理では、制御部２１は、印刷ジョブで描く画像のサイズを、
未印刷給紙のサイズに適合するように拡大又は縮小する。拡縮処理の後、処理は、ステッ
プＳ８へ移行する。なお、当該拡縮処理は、後続ジョブがファクシミリで受信したデータ
を印刷する印刷ジョブである場合に、行うようにすることができる。
【００６７】
一方、「用紙サイズ」の設定内容が“未指定”でない場合には（図２のステップＳ１０
のＮｏ）、制御部２１は、後続ジョブを未印刷給紙に印刷しないと判断し、印刷機構２２
に、未印刷給紙を白紙のまま排紙させる（図２のステップＳ１９）。
【００６８】
また、後続ジョブの「排紙方向」が未印刷給紙（現行ジョブ）の内容と一致していない
場合には（図２のステップＳ８のＮｏ）、制御部２１は、後続ジョブの「排紙方向」につ
いての設定内容が“未指定”であるか否かを判断する（図２のステップＳ１２）。設定内
容が“未指定”である場合には（図２のステップＳ１２のＹｅｓ）、制御部２１は、未印
刷給紙の印刷方向に合うように、後続ジョブに対して回転処理を実行する（図２のステッ
プＳ１３）。回転処理では、制御部２１は、印刷ジョブで描く画像の方向を、未印刷給紙
の方向に適合するように回転する。回転処理の後、処理は、ステップＳ９へ移行する。
【００６９】
一方、「排紙方向」の設定内容が“未指定”でない場合には（図２のステップＳ１２の
Ｎｏ）、制御部２１は、後続ジョブを未印刷給紙に印刷しないと判断し、印刷機構２２に
、未印刷給紙を白紙のまま排紙させる（図２のステップＳ１９）。
【００７０】
また、後続ジョブの「紙質」が未印刷給紙（現行ジョブ）の内容と一致していない場合
には（図２のステップＳ９のＮｏ）、制御部２１は、後続ジョブの「紙質」についての設
定内容が“紙質自動”であるか否かを判断する（図２のステップＳ１４）。設定内容が“
紙質自動”である場合には（図２のステップＳ１４のＹｅｓ）、制御部２１は、後続ジョ
ブの「紙質」の設定を未印刷給紙の紙質に合わせる（図２のステップＳ１７）。その後、
制御部２１は、後続ジョブを未印刷給紙に印刷すると判断し、印刷機構２２に、未印刷給
紙に対して後続ジョブの印刷を実行させる（図２のステップＳ１８）。
【００７１】
一方、後続ジョブの設定内容が“紙質自動”でない場合には（図２のステップＳ１４の
Ｎｏ）、制御部２１は、後続ジョブの「紙質」についての設定内容が“普通紙系自動”で
あるか否かを判断する（図２のステップＳ１５）。設定内容が“普通紙系自動”である場
合には（図２のステップＳ１５のＹｅｓ）、制御部２１は、未印刷給紙の紙種が普通紙系
であるか否か判断する（図２のステップＳ１６）。未印刷給紙の紙種が普通紙系であれば
（図２のステップＳ１６のＹｅｓ）、制御部２１は、後続ジョブの「紙質」の設定を未印
刷給紙の紙質に合わせる（図２のステップＳ１７）。その後、制御部２１は、後続ジョブ
を未印刷給紙に印刷すると判断し、印刷機構２２に、未印刷給紙に対して後続ジョブの印
刷を実行させる（図２のステップＳ１８）。
【００７２】
ステップＳ１５において、設定内容が“普通紙系自動”でない場合（図２のステップＳ
１５のＮｏ）、又は、ステップＳ１６において、未印刷給紙が普通紙系でない場合（図２
のステップＳ１６のＮｏ）、制御部２１は、後続ジョブを未印刷給紙に印刷しないと判断
し、印刷機構２２に、未印刷給紙を白紙のまま排紙させる（図２のステップＳ１９）。
【００７３】
次に、ステップＳ２において、後続ジョブが特定のジョブ種である場合（図２のステッ
プＳ２のＹｅｓ）、制御部２１は、未印刷給紙の枚数が後続ジョブの枚数以上であるか否
かを判断する（図２のステップＳ３）。当該判断の結果、未印刷給紙の枚数が後続ジョブ
の枚数未満である場合には（図２のステップＳ３のＮｏ）、処理がステップＳ５に移行す
る。
【００７４】
一方、未印刷給紙の枚数が後続ジョブの枚数以上である場合には（図２のステップＳ３
のＹｅｓ）、制御部２１は、後続ジョブの「用紙サイズ」、「排紙方向」、及び「紙質」
の設定内容を未印刷給紙に合わせて（図２のステップＳ４）、後続ジョブを未印刷給紙に
印刷すると判断し、印刷機構２２に、未印刷給紙に対して後続ジョブの印刷を実行させる
（図２のステップＳ１８）。なお、後続ジョブの「用紙サイズ」、「排紙方向」の設定内
容を未印刷給紙に合わせる際に、制御部２１は、必要に応じて、後続ジョブで描く画像の
拡大・縮小、回転を実行する。ここで、未印刷給紙の枚数が後続ジョブの枚数以上である
場合、後続ジョブの印刷設定を強制的に未印刷給紙に合わせる理由を説明する。未印刷給
紙は後続ジョブが印刷されなければ無駄紙として排紙される用紙であるため、仮に後続ジ
ョブの印刷結果がユーザー所望のものにならず未印刷給紙が無駄になっても不利益はあま
りない。従って、後続ジョブの印刷が未印刷給紙に対する印刷だけで完了するならば、印
刷結果の質は気にせず後続ジョブを印刷してしまって良い。以上が、未印刷給紙の枚数が
後続ジョブの枚数以上である場合、後続ジョブの印刷設定を強制的に未印刷給紙に合わせ
る理由である。
【００７５】
なお、後続ジョブが、受信したファクシミリの印刷である場合には、プリンター２にお
いて「代行出力」の機能がオンになっている（作動している）場合にのみ、未印刷給紙に
対して後続ジョブの印刷を実行させるようにしてもよい。
【００７６】
ここで「代行出力」とは、ファクシミリの印刷ジョブの画像を縮小して元のサイズより
も小さいサイズの用紙に印刷すること、及び、ファクシミリの印刷ジョブの画像を拡大し
て元のサイズよりも大きいサイズの用紙に印刷すること、を意味する。
【００７７】
以上説明したように、未印刷給紙に後続ジョブが印刷される（Ｓ１８）、又は、未印刷
給紙が排紙される（Ｓ１９）と、未印刷給紙処理は終了する。
【００７８】
次に、制御部２１が印刷ジョブを受信した際に行う処理について説明する。当該処理は
、ジョブキャンセルが発生した際に、すぐに後続ジョブを未印刷給紙に印刷できるように
、受信済みの印刷ジョブについて、予め用紙に関する設定内容を変更しておく処理である
（以下、設定変更処理と称す）。なお、当該設定変更処理は、実施しなくても良い。
【００７９】
図３は、設定変更処理の手順を例示したフローチャートである。まず、制御部２１は、
１印刷ジョブを受信するのを待ち（図３のステップＳ２１）、１印刷ジョブを受信すると
（図３のステップＳ２１のＹｅｓ）、当該受信した印刷ジョブ（以降、受信ジョブと称す
）の直前に受信した印刷ジョブ（以降、先行ジョブと称す）の印刷が未開始であるか否か
を判断する（図３のステップＳ２２）。先行ジョブがない場合、及び、先行ジョブがあっ
ても既に印刷が開始されている場合には（図３のステップＳ２２のＮｏ）、制御部２１は
、設定変更を行わず、次の印刷ジョブの受信を待つ（Ｓ２１へ）。
【００８０】
印刷未開始の先行ジョブがある場合には（図３のステップＳ２２のＹｅｓ）、制御部２
１は、受信ジョブと先行ジョブの「給紙口」についての設定内容に基づいて、設定変更を
行うか否かを判断する。
【００８１】
具体的には、制御部２１は、受信ジョブと先行ジョブの、少なくとも、いずれかの「給
紙口」についての設定が“給紙口自動”になっているか否かを判断する（図３のステップ
Ｓ２３）。
【００８２】
その結果、受信ジョブと先行ジョブ双方の「給紙口」についての設定が“給紙口自動”
になっていない場合には（図３のステップＳ２３のＮｏ）、制御部２１は、設定変更を行
わず、次の印刷ジョブの受信を待つ（Ｓ２１へ）。
【００８３】
いずれかの印刷ジョブの「給紙口」についての設定が“給紙口自動”になっている場合
には（図３のステップＳ２３のＹｅｓ）、制御部２１は、後続ジョブに設定されている「
給紙口」以外の設定内容、すなわち、「用紙サイズ」、「排紙方向」、及び「紙質」の設
定内容、に基づいて、設定変更を行うか否かを判断する。
【００８４】
具体的には、先行ジョブと受信ジョブとの「用紙サイズ」、「排紙方向」、及び「紙質
」の設定内容が、全て一致していれば（図３のステップＳ２４のＹｅｓ、Ｓ２５のＹｅｓ
、Ｓ２６のＹｅｓ）、制御部２１は、先行ジョブと受信ジョブの「給紙口」を、「用紙サ
イズ」、「排紙方向」、及び「紙質」の設定内容に適した特定の給紙口２２１に設定する
。すなわち、先行ジョブと受信ジョブの「給紙口」の設定内容は同じ給紙口２２１に合わ
せられる（図３のステップＳ３４）。例えば、双方の「給紙口」は、“給紙口２２１Ａ”
に設定変更される。なお、先行ジョブと受信ジョブのいずれかの設定内容が“給紙口自動
”でない特定の給紙口２２１である場合には、他方の印刷ジョブの「給紙口」の設定内容
を、その給紙口２２１に合わせる。当該設定変更の後、処理はステップＳ２１に戻る。
【００８５】
また、「用紙サイズ」、「排紙方向」、及び「紙質」の各設定内容が、双方の印刷ジョ
ブで一致しない場合にも、設定内容が“未指定”である場合、自由度のある選択が可能で
ある内容である場合には、制御部２１は、設定内容を変更して双方の「給紙口」の設定内
容を合わせると判断する。
【００８６】
具体的には、受信ジョブと先行ジョブの「用紙サイズ」が一致していない場合には（図
３のステップＳ２４のＮｏ）、制御部２１は、受信ジョブと先行ジョブの、少なくとも、
いずれかの「用紙サイズ」についての設定内容が“未指定”であるか否かを判断する（図
３のステップＳ２７）。少なくともいずれかの印刷ジョブについて設定内容が“未指定”
である場合には（図３のステップＳ２７のＹｅｓ）、制御部２１は、受信ジョブと先行ジ
ョブの用紙サイズを合わせる処理を行う（図３のステップＳ２８）。具体的には、制御部
２１は、いずれかの印刷ジョブの設定内容が“未指定”でなければ、他方の印刷ジョブの
「用紙サイズ」の設定内容を、その印刷ジョブに設定されている用紙サイズに合わせる。
また、制御部２１は、双方の印刷ジョブ共に設定内容が“未指定”であれば、双方の印刷
ジョブの「用紙サイズ」の設定内容を特定の同じ用紙サイズに変更する。なお、設定変更
後の用紙サイズと印刷ジョブで描く画像のサイズが適合しない場合には、制御部２１は、
適宜、設定された用紙サイズに適合するように、画像のサイズを拡大又は縮小する。その
後、処理は、ステップＳ２５へ移行する。
【００８７】
一方、いずれの印刷ジョブについても「用紙サイズ」の設定内容が“未指定”でない場
合には（図３のステップＳ２７のＮｏ）、制御部２１は、設定変更を行わず、次の印刷ジ
ョブの受信を待つ（Ｓ２１へ）。
【００８８】
また、受信ジョブと先行ジョブの「排紙方向」が一致していない場合には（図３のステ
ップＳ２５のＮｏ）、制御部２１は、受信ジョブと先行ジョブの、少なくとも、いずれか
の「排紙方向」についての設定内容が“未指定”であるか否かを判断する（図３のステッ
プＳ２９）。少なくともいずれかの印刷ジョブについて設定内容が“未指定”である場合
には（図３のステップＳ２９のＹｅｓ）、制御部２１は、受信ジョブと先行ジョブの排紙
方向を合わせる処理を行う（図３のステップＳ３０）。具体的には、制御部２１は、いず
れかの印刷ジョブの設定内容が“未指定”でなければ、他方の印刷ジョブの「排紙方向」
の設定内容を、その印刷ジョブに設定されている排紙方向に合わせる。また、制御部２１
は、双方の印刷ジョブ共に設定内容が“未指定”であれば、双方の印刷ジョブの「排紙方
向」の設定内容を特定の同じ排紙方向に変更する。なお、設定変更後の排紙方向と印刷ジ
ョブで描く画像の方向が適合しない場合には、制御部２１は、適宜、設定された排紙方向
に適合するように、画像の方向を回転する。その後、処理は、ステップＳ２６へ移行する
。
【００８９】
一方、いずれの印刷ジョブについても「排紙方向」の設定内容が“未指定”でない場合
には（図３のステップＳ２９のＮｏ）、制御部２１は、設定変更を行わず、次の印刷ジョ
ブの受信を待つ（Ｓ２１へ）。
【００９０】
また、先行ジョブと受信ジョブの「紙質」の設定内容が一致していない場合には（図３
のステップＳ２６のＮｏ）、制御部２１は、受信ジョブと先行ジョブの、少なくとも、い
ずれかの「紙質」についての設定内容が“紙質自動”であるか否かを判断する（図３のス
テップＳ３１）。少なくともいずれかの印刷ジョブについて設定内容が“紙質自動”であ
る場合には（図３のステップＳ３１のＹｅｓ）、制御部２１は、受信ジョブと先行ジョブ
の紙質を合わせる処理を行う（図３のステップＳ３３）。具体的には、制御部２１は、い
ずれかの印刷ジョブの設定内容が“紙質自動”でなければ、他方の印刷ジョブの「紙質」
の設定内容を、その印刷ジョブに設定されている紙質に合わせる。また、制御部２１は、
双方の印刷ジョブ共に設定内容が“紙質自動”であれば、双方の印刷ジョブの「紙質」の
設定内容を特定の同じ紙質に変更する。
【００９１】
その後、制御部２１は、先行ジョブと受信ジョブの「給紙口」を、「用紙サイズ」、「
排紙方向」、及び「紙質」の設定内容に適した特定の給紙口２２１に設定する。すなわち
、先行ジョブと受信ジョブの「給紙口」の設定内容は同じ給紙口２２１に合わせられる（
図３のステップＳ３４）。当該設定変更の後、処理はステップＳ２１に戻る。
【００９２】
一方、いずれの印刷ジョブについても「紙質」の設定内容が“紙質自動”でない場合に
は（図３のステップＳ３１のＮｏ）、制御部２１は、双方の印刷ジョブについて「紙質」
の設定内容が“普通紙系自動”に設定されているか、あるいは、一方の印刷ジョブについ
て「紙質」の設定内容が“普通紙系自動”に設定されており、かつ、他方の印刷ジョブに
ついて「紙質」の設定内容が普通紙系の特定の紙質に設定されているか、を判断する（図
３のステップＳ３２）。
【００９３】
いずれかの条件を満たす場合には（図３のステップＳ３２のＹｅｓ）、制御部２１は、
受信ジョブと先行ジョブの紙質を合わせる処理を行う（図３のステップＳ３３）。具体的
には、制御部２１は、いずれかの印刷ジョブの設定内容が“普通紙系自動”でなければ、
他方の印刷ジョブの「紙質」の設定内容を、その印刷ジョブに設定されている紙質に合わ
せる。また、制御部２１は、双方の印刷ジョブ共に設定内容が“普通紙系自動”であれば
、双方の印刷ジョブの「紙質」の設定内容を、普通紙系の同一の紙質に変更する。その後
、処理はステップＳ３４に移行し、上述の場合と同様に、処理が行われる。
【００９４】
一方、ステップＳ３２のいずれの条件も満たさない場合には（図３のステップＳ３２の
Ｎｏ）、制御部２１は、設定変更を行わず、次の印刷ジョブの受信を待つ（Ｓ２１へ）。
【００９５】
以上のようにして、印刷ジョブを受信した際の設定変更処理が実行される。
【００９６】
なお、プリンター２が、同一サイズの同一排紙方向での給紙のみを行う装置である場合
には、制御部２１は、ジョブキャンセルが行われた際に、後続ジョブに設定されている紙
質と未印刷給紙の紙質に基づいて、後続ジョブを未印刷給紙に印刷するか否かを判断する
ようにしても良い。後続ジョブを未印刷給紙に印刷すると判断した場合には、制御部２１
は、上述の場合と同様に、印刷機構２２にその印刷を実行させる。
【００９７】
なお、上記紙質に基づく判断は、図２のステップＳ９、Ｓ１４−Ｓ１７に基づいて説明
した処理と同様に行われる。さらに、後続ジョブに設定されている紙質と未印刷給紙の紙
質が、双方とも普通紙系の紙質又は再生紙である場合には、制御部２１は、後続ジョブを
未印刷給紙に印刷すると判断する。
【００９８】
また、同様に、プリンター２が、同一サイズの同一排紙方向での給紙のみを行う装置で
ある場合には、制御部２１は、印刷ジョブの受信時に、先行ジョブと受信ジョブに設定さ
れている紙質に基づいて、双方の設定内容を合わせる設定変更処理を行うか否かを判断す
るようにしても良い。この場合、上記紙質に基づく判断は、図３のステップＳ２６、Ｓ３
１、Ｓ３２に基づいて説明した処理と同様に行われる。
【００９９】
以上説明したように、本実施の形態例及びその変形例に係るプリンター２では、現行ジ
ョブの印刷中にジョブキャンセルがなされた際に、後続ジョブの印刷データを受信してい
れば、後続ジョブに設定されている「給紙口」の設定内容に基づいて、未印刷給紙に後続
ジョブの印刷を行うか否かを判断し、印刷を行うと判断した場合には当該印刷を実行する
。したがって、ユーザーの要求を満たしつつ、用紙の有効利用を図ることができる。
【０１００】
また、具体的には、後続ジョブに未印刷給紙と同じ給紙口２２１が設定されていれば、
未印刷給紙に後続ジョブの印刷を行うと判断し、確実にユーザーの要求を満たしつつ、用
紙の有効利用を図ることができる。
【０１０１】
また、後続ジョブに“給紙口自動”が設定されている場合には、「給紙口」以外の条件
が満たされれば、未印刷給紙に後続ジョブの印刷を行うと判断し、さらに用紙の有効利用
を図ることができ、ユーザー利便性も向上する。
【０１０２】
「給紙口」以外の条件として、「用紙サイズ」と「排紙方向」の条件を満たしていれば
、未印刷給紙に後続ジョブの印刷を行うと判断し、ユーザー要求を満たすことができる。
【０１０３】
また、後続ジョブの「用紙サイズ」が“未指定”に設定されていれば、後続ジョブの画
像データ（印刷範囲）を、未印刷給紙に対応するように拡大又は縮小し、当該条件を満た
すと判断する。したがって、未印刷用紙を活用できる機会を増やすことができる。
【０１０４】
また、後続ジョブの「用紙サイズ」が指定されており、それが未印刷給紙と一致してい
ない場合には、未印刷給紙を排紙する。これにより、ユーザーの望んでいない印刷を行わ
ないようにすることができる。
【０１０５】
また、後続ジョブがファクシミリで受信したデータを印刷する印刷ジョブである場合に
、上記拡大又は縮小の処理を行うことで、ユーザーに支障のない未印刷給紙の利用ができ
る。
【０１０６】
また、後続ジョブの「排紙方向」が“未指定”に設定されていれば、後続ジョブの画像
データを、未印刷給紙に対応するように回転し、当該条件を満たすと判断する。したがっ
て、未印刷用紙を活用できる機会を増やすことができる。
【０１０７】
また、未印刷給紙の枚数が後続ジョブの枚数以上である場合には、未印刷給紙に後続ジ
ョブを印刷することで、未印刷用紙を活用できる機会を増やすことができる。
【０１０８】
さらに、未印刷給紙の枚数が後続ジョブの枚数以上である場合に、後続ジョブのジョブ
種がステータスシートを印刷する印刷ジョブであれば、未印刷給紙に後続ジョブを印刷す
ることで、ユーザーの利便性を低下することなく未印刷給紙を活用できる。
【０１０９】
さらに、また、未印刷給紙の枚数が後続ジョブの枚数以上である場合に、後続ジョブの
ジョブ種がファクシミリで受信したデータを印刷する印刷ジョブであり、ファクシミリの
代行出力の機能が作動している場合に、未印刷給紙に後続ジョブを印刷することで、ユー
ザーの利便性を低下することなく未印刷給紙を活用できる。
【０１１０】
本実施の形態例では、ＣＰＵ（プロセッサー）が各処理を実行する例を説明した。
【０１１１】
ここで、本明細書において、ＣＰＵは、１又は複数のＣＰＵにより構成されていてもよ
いし、１又は複数の集積回路（例えば、ＡＳＩＣ）により構成されていてもよい。また、
ＣＰＵは、１又は複数のＣＰＵと、１又は複数の集積回路と、の組み合わせにより構成さ
れていてもよい。
【０１１２】
本発明の保護範囲は、上記の実施の形態に限定されず、特許請求の範囲に記載された発
明とその均等物に及ぶものである。
【符号の説明】
【０１１３】
１…ホストコンピューター、２…プリンター、３（３Ａ、３Ｂ、３Ｃ）…用紙カセット
、２１…制御部、２２…印刷機構、２２１（２２１Ａ、２２１Ｂ、２２１Ｃ）…給紙口、
２２２…搬送路、２２３…搬送部、２２４…印刷部。
【図１】
2019005952.tif 000003
【図２】
2019005952.tif 000004
【図３】
2019005952.tif 000005